(57)【要約】【課題】  トナーによる印刷が施された印刷用紙に圧着用ニスが塗布でき、オンデマンド印刷された印刷用紙の圧着による封緘を容易に行う事が可能で、封緘コストを抑えることが可能な封緘印刷物及び封緘印刷物の封緘方法を提供することにある。【解決手段】  オンデマンド印刷を施した印刷用紙の印刷面と圧着用ニス層との間に、圧着用ニスの印刷面での撥水を防止するアンカー剤層を備え、圧着用ニス層が接して印刷面が重なり合うように印刷用紙を折り畳んで圧着したことを特徴とする。【選択図】図１
2008221663.tif 000002
【特許請求の範囲】
【請求項１】
印刷用紙の印刷面を重ね合わせて圧着した封緘印刷物において、
オンデマンド印刷を施した該印刷用紙の印刷面と圧着用ニス層との間に、圧着用ニスの該印刷面での撥水を防止するアンカー剤層を備え、
該圧着用ニス層が接して該印刷面が重なり合うように該印刷用紙を折り畳んで圧着したことを特徴とする封緘印刷物。
【請求項２】
前記アンカー剤層が、光硬化性樹脂剤、ＵＶシーラー及びイソプロピルアルコールの混合剤により形成されていることを特徴とする請求項１記載の封緘印刷物。
【請求項３】
印刷用紙の印刷面を重ね合わせて圧着する封緘印刷物の封緘方法において、
該印刷用紙の印刷面にオンデマンド印刷を施し、
該オンデマンド印刷が施された印刷面の上に圧着用ニスの撥水を防止するアンカー剤を塗布し、
該アンカー剤の上に該圧着用ニスを塗布した後、
該圧着用ニスの塗布面が接して該印刷面が重なり合うように該印刷用紙を折り畳んで圧着することを特徴とする封緘印刷物の封緘方法。
【請求項４】
前記アンカー剤が、光硬化性樹脂剤、ＵＶシーラー及びイソプロピルアルコールの混合剤により形成されていることを特徴とする請求項３記載の封緘印刷物の封緘方法。
【発明の詳細な説明】
【技術分野】
【０００１】
本発明は、印刷用紙の印刷面を重ね合わせて圧着した封緘印刷物及び封緘印刷物の封緘方法に関する。
【背景技術】
【０００２】
従来より、広告物やダイレクトメールなどを折り畳んでハガキサイズに圧着した封緘印刷物が用いられている。この封緘印刷物は、印刷用紙にオフセット印刷を施し、その上に圧着用ニスを塗布した後、印刷用紙の印刷面を重ね合わせて圧着している。
【０００３】
尚、少量印刷を目的にトナーを用いたレーザープリンタ型のオンデマンド印刷を施した場合、トナーの定着のためにシリコンオイルが塗布されているため、圧着用ニスが撥水してしまい圧着して封緘することが困難である。この対策として、特許文献１に示されるように、圧着圧力や圧着温度等の管理を詳細に行う方法が提案されている。
【特許文献１】特開２００２−１９３５４０号公報
【発明の開示】
【発明が解決しようとする課題】
【０００４】
しかしながら、従来のシリコンオイルが用いられるオンデマンド印刷でオフセット印刷と同様に圧着用ニスを単に塗布する方法では、十分な強度を持った封緘ができない。また、十分な強度を得るために圧着温度等の管理を詳細に行うには、従来の圧着装置を用いることができず、圧着作業が従来より煩雑になり、装置のコストを含め封緘コストを抑えることができない。
【０００５】
本発明は、このような事情に鑑みてなされたもので、トナーによる印刷が施された印刷用紙に圧着用ニスが塗布でき、オンデマンド印刷された印刷用紙の圧着による封緘を容易に行う事が可能で、封緘コストを抑えることが可能な封緘印刷物及び封緘印刷物の封緘方法を提供することにある。
【課題を解決するための手段】
【０００６】
請求項１記載の封緘印刷物は、オンデマンド印刷を施した印刷用紙の印刷面と圧着用ニス層との間に、圧着用ニスの印刷面での撥水を防止するアンカー剤層を備え、圧着用ニス層が接して印刷面が重なり合うように印刷用紙を折り畳んで圧着したことを特徴とする。
【０００７】
請求項２記載の封緘印刷物は、アンカー剤層が、光硬化性樹脂剤、ＵＶシーラー及びイソプロピルアルコールの混合剤により形成されていることを特徴とする。
【０００８】
請求項３記載の封緘印刷物の封緘方法は、印刷用紙の印刷面にオンデマンド印刷を施し、オンデマンド印刷が施された印刷面の上に圧着用ニスの撥水を防止するアンカー剤を塗布し、アンカー剤の上に圧着用ニスを塗布した後、圧着用ニスの塗布面が接して印刷面が重なり合うように印刷用紙を折り畳んで圧着することを特徴とする。
【０００９】
請求項４記載の封緘印刷物の封緘方法は、アンカー剤が、光硬化性樹脂剤、ＵＶシーラー及びイソプロピルアルコールの混合剤により形成されていることを特徴とする。
【発明の効果】
【００１０】
請求項１及び請求項３の発明によれば、トナーによる印刷が施された印刷用紙に圧着用ニスが塗布でき、オンデマンド印刷された印刷用紙の圧着による封緘を容易に行う事が可能で、封緘コストを抑えることが可能である。
【００１１】
請求項２及び請求項４の発明によれば、アンカー剤がＵＶシーラーを含むことによりＵＶ加工が可能で、オンデマンド印刷であっても封緘印刷物の印刷品質を向上させることができる。
【発明を実施するための最良の形態】
【００１２】
以下、本発明の形態について図面を参照しながら具体的に説明する。図１は、本発明に係る封緘印刷物の断面を示す説明図である。図２は、同封緘印刷物の封緘方法を示すフローチャートである。
【００１３】
本実施例の封緘印刷物１は、広告物やダイレクトメールなどを折り畳んで例えばハガキサイズに圧着したもので、その封緘方法を説明する。尚、以後の説明において、括弧内の符号は図２のフローチャートの符号に対応している。
【００１４】
まず、電子写真式でトナーを定着させることにより印刷を行うオンデマンド印刷を、コート紙等の印刷用紙１０に施す（Ｓ１０２）。オンデマンド印刷であるから、オフセット印刷とは異なり、印刷する封緘印刷物１毎に別々の内容を印刷することが可能である。また、トナーを用いた印刷であることから、印刷面１０ａにはトナーを定着させるためのシリコンオイルが塗布された状態となっている。
【００１５】
次に、オンデマンド印刷が施された印刷面１０ａの上に、アンカー剤を塗布してアンカー剤層１２を形成させる（Ｓ１０４）。ここで塗布するアンカー剤は、後述する圧着用ニスがシリコンオイルとの関係で撥水することを防止するためのものである。アンカー剤は具体的には、光硬化性樹脂剤、ＵＶシーラー及びイソプロピルアルコールの混合剤である。尚、光硬化性樹脂剤は、アクリレートオリゴマー、アクリレートモニマー及び添加剤（光重合開始剤等）の混合物である。また、ＵＶシーラーは、アクリル樹脂、イソプロピルアルコール、メチルアルコール、添加剤（光重合開始剤等）の混合物である。
【００１６】
次に、アンカー剤層１２の上に、圧着用ニスを塗布して圧着用ニス層１４を形成させる（Ｓ１０６）。圧着用ニスは、詳しくは、アクリル酸エステル系等の合成樹脂、アクリル酸エステル系モノマー、エチルアルコール、エチルアルコール以外のアルコール、及び添加剤（光重合開始剤等）の混合物である。
【００１７】
そして、ＵＶ乾燥を施し（Ｓ１０８）、圧着用ニスの塗布面（圧着用ニス層１４）が接して印刷面１０ａが重なり合うように印刷用紙１０を折り畳んで（Ｓ１１０）、圧着する（Ｓ１１２）。
【００１８】
以上のように、本実施例の封緘印刷物１の封緘方法によれば、トナーによる印刷が施された印刷用紙１０に圧着用ニスが塗布でき、オンデマンド印刷された印刷用紙１０の圧着による封緘を容易に行う事が可能で、封緘コストを抑えることが可能である。封緘印刷物１にオンデマンド印刷が可能になることで、小ロットの封緘印刷物を低コストで印刷することができる。
【００１９】
また、アンカー剤がＵＶシーラーを含むことによりＵＶ加工（ＵＶ乾燥）が可能で、オンデマンド印刷であっても封緘印刷物の印刷品質を向上させることができる。
【産業上の利用可能性】
【００２０】
以上のように、本発明によれば、トナーによる印刷が施された印刷用紙に圧着用ニスが塗布でき、オンデマンド印刷された印刷用紙の圧着による封緘を容易に行う事が可能で、封緘コストを抑えることが可能な封緘印刷物及び封緘印刷物の封緘方法を提供することができる。
【図面の簡単な説明】
【００２１】
【図１】本発明に係る封緘印刷物の断面を示す説明図である。
【図２】同封緘印刷物の封緘方法を示すフローチャートである。
【符号の説明】
【００２２】
１・・・・・封緘印刷物
１０・・・・印刷用紙
１０ａ・・・印刷面
１２・・・・アンカー剤層
１４・・・・圧着用ニス層
【図１】
2008221663.tif 000003
【図２】
2008221663.tif 000004